(57)【要約】【目的】  エアコン据付け台においてエアコン据付け現場での組立作業を簡単にする。梱包を小さくする。【構成】  両側の縦材12と前後の横材11とを四角形に組み合わせて構成されたエアコン支持枠10とその四隅部から下方へ延出した脚材20とを備える。エアコン支持枠10をその四隅部で突き合わされる縦材12と横材11をエアコン載置面に略直角な軸体13により回動可能に連結した仮組み構造とする。エアコン支持枠10はエアコン載置面に平行な面内において平行移動的に折り畳まれ、直線状にまで折り畳み可能となる。脚材20もエアコン支持枠10の四隅部で突き合わされる２部材の一方に回動可能に連結した仮組み構造とし、エアコン支持枠10と共に直線状に折り畳み可能とする。脚材20は断面がＬ形のアングルにより構成し、直交する２つの平面部21，22をエアコン支持枠10の縦材12と横材11にねじ止めしてエアコン支持枠10を四角形の使用状態に固定する。【選択図】  図２
2006017439.tif 000002
【特許請求の範囲】
【請求項１】
両側の縦材と前後の横材とを四角形に組み合わせて構成されたエアコン支持枠と、該支持枠の四隅部から下方へ延出した４本の脚材とを備えた平地用のエアコン据付け台において、前記エアコン支持枠を構成する縦材及び横材が折り畳み状態へ平行移動するように、前記エアコン支持枠の四隅部で突き合わされる縦材と横材を折曲可能に連結した折り畳み式の仮組み構造に前記エアコン支持枠を構成したことを特徴とするエアコン据付け台。
【請求項２】
前記エアコン支持枠の四隅部で突き合わされる縦材と横材を折曲可能に連結するために、その縦材と横材をエアコン載置面に略直角な軸体により回動可能に連結した請求項１に記載のエアコン据付け台。
【請求項３】
前記折り畳み状態で梱包される請求項１に記載のエアコン据付け台。
【請求項４】
前記脚材は、前記エアコン支持枠の四隅部で突き合わされる２部材の一方に回動可能に連結され、前記エアコン支持枠と共に折り畳み可能な仮組み構造である請求項１に記載のエアコン据付け台。
【請求項５】
前記脚材は、断面がＬ形のアングルからなり、直交する２つの平面部を、四角形の使用状態に拡げられたエアコン支持枠の四隅部で突き合わされる縦材と横材にそれぞれねじ止めして、前記エアコン支持枠を四角形の使用状態に固定する、固定部材兼用構造であることを特徴とする請求項１に記載のエアコン据付け台。
【発明の詳細な説明】
【技術分野】
【０００１】
本発明は、四角形のエアコン支持枠と、該支持枠の四隅部から下方へ延出した４本の脚材とを組み合わせた、平地用と呼ばれるエアコン据付け台に関する。
【背景技術】
【０００２】
ルームエアコンやパッケージエアコンの室外機といった屋外用のエアコン機器を設置するために、設置場所に応じた各種のエアコン据付け台が使用される。その一つが、特許文献１に記載されているような平地用と呼ばれるエアコン据付け台である。
【０００３】
【特許文献１】実開平７−３５９２３号公報
【０００４】
平地用のエアコン据付け台は、基本的に次の３つの基本構成部材からなる。一つは、両側の縦材と前後の横材とを四角形に組み合わせて構成されたエアコン支持枠である。今一つは、このエアコン支持枠の四隅部から下方へ延出する４本の脚材である。最後の一つは、エアコン機器を載置するために、両側の縦材の間で前後の横材間に掛け渡される両側１対のベース部材である。
【０００５】
これらの部材を組み合わせて構成されるエアコン据付け台は、平地用と呼ばれるけれども、四隅の脚材に対するエアコン支持枠の取付けレベルを調節することにより、段差地や傾斜地にも設置可能である。
【０００６】
このような平地用のエアコン据付け台を梱包するとき、エアコン支持枠を構成する４本のバー材、４本の脚材及び２本のベース部材に分解し、これらを一つに束ねるのが一般的にである。こうすることにより梱包を小さくでき、運搬、収納等におけるスペース効率が上がる。しかし、その反面、エアコン据付け現場では、全ての部材を最初から組み立てなければならず、手数がかかる。
【０００７】
組み立て作業を簡略化するために、差し込みや掛け止めによる連結構造を多用したエアコン据付け台は考えられている（特許文献１参照）。また、エアコン支持枠を構成する４部材を予め溶接等により四角形に組み上げて梱包し出荷するエアコン据付け台も考えられている。
【０００８】
前者のエアコン据付け台の場合、差し込みや掛け止めによる連結構造を多用するとは言え、全ての構成部材を最初から組み立てることには違いがなく、エアコン据付け現場での組み立て作業性は、後者のエアコン据付け台に比べると相当に劣る。後者のエアコン据付け台の場合は、据付け現場では予め完成されたエアコン支持枠に４本の脚材を取付けるだけで、組み立て作業が完了する。しかし、その利点の一方で梱包が大きくなり、運搬、収納等の効率が著しく低下するのを避け得ない。
【発明の開示】
【発明が解決しようとする課題】
【０００９】
本発明はかかる事情に鑑みて創案さたものであり、エアコン据付け現場での組み立て作業が簡単で、しかも梱包を小さくできる平地用のエアコン据付け台を提供することを目的とする。
【課題を解決するための手段】
【００１０】
上記目的を達成するために、本発明に係るエアコン据付け台は、両側の縦材と前後の横材とを四角形に組み合わせて構成されたエアコン支持枠と、該支持枠の四隅部から下方へ延出した４本の脚材とを備えた平地用のエアコン据付け台において、前記エアコン支持枠を構成する縦材及び横材が折り畳み状態へ平行移動するように、前記エアコン支持枠の四隅部で突き合わされる縦材と横材を折曲可能に連結した折り畳み式の仮組み構造に前記エアコン支持枠を構成したものである。エアコン支持枠の四隅部で突き合わされる縦材と横材を折曲可能に連結するためには、その縦材と横材をエアコン載置面に略直角な軸体により回動可能に連結するのが合理的である。
【００１１】
本発明に係るエアコン据付け台においては、エアコン支持枠の四隅部で突き合わされる縦材と横材が、エアコン載置面に沿った平面内において平行移動することにより、四角形のエアコン支持枠は、エアコン載置面に沿った平面内において平行四辺形に折り畳まれ、最終的には直線状にも折り畳むことが可能となる。この折り畳んだ仮組み状態で４本の脚材などと共に梱包すれば、その効率は全ての構成部材を分解して束ねる場合と同等に向上する。組み立て作業では、エアコン支持枠が仮組み状態になっているので、この支持枠を折り畳み状態から四角形の使用状態に展開し、固定すればよい。この状態で４本の脚材を取付ければ、組み立ては実質的に完了する。
【００１２】
好ましくは、脚材についても、エアコン支持枠の四隅部で突き合わされる２部材の一方に回動可能に連結し、エアコン支持枠と共に折り畳み可能な仮組み構造とする。そうすれば、脚材についても折り畳んだ仮組み状態で梱包でき、現場での組み立て作業が一層簡単になる。
【００１３】
脚材については又、断面がＬ形のアングルにより構成し、直交する２つの平面部を、四角形の使用状態に拡げられたエアコン支持枠の四隅部で突き合わされる縦材と横材にそれぞれねじ止めして、エアコン支持枠を四角形の使用状態に固定する構成が好ましい。この構成によると、４本の脚材がエアコン支持枠の固定部材を兼ねることになり、その結果、エアコン支持枠を四角形の使用状態に固定する固定部材が不要になり、部品点数の増加が回避される。
【発明の効果】
【００１４】
本発明に係るエアコン据付け台は、四角形のエアコン支持枠の四隅部を折り畳み状態へ平行移動する折り畳み式の仮組み構造とし、望ましくはエアコン支持枠の四隅部に取付けられる脚材についても、そのエアコン支持枠と共に折り畳み可能な仮組み構造とすることにより、エアコン据付け現場での組み立て作業性を著しく高めることができ、合わせて梱包を小さく抑制することができ、運搬効率、保管効率などを高めることができる。
【発明を実施するための最良の形態】
【００１５】
以下に本発明の実施形態を図面に基づいて詳細に説明する。図１は本発明の一実施形態を示すエアコン据付け台の斜視図、図２は同エアコン据付け台の梱包状態（折り畳み状態）から使用状態（展開状態）への形態変化を示す斜視図である。
【００１６】
本実施形態に係るエアコン据付け台は、平坦面、段差面等にエアコン機器を設置するのに使用される所謂、平地用である。このエアコン据付け台は、直線状に折り畳み可能な仮組み構造とされた四角形のエアコン支持枠１０と、エアコン支持枠１０の四隅部から下方へ延出し、エアコン支持枠１０と共に直線状に折り畳み可能な仮組み構造とされた４本の脚材２０，２０・・と、エアコン支持枠１０の上にエアコン機器を載せるために該支持枠に取付けられる２本のベース部材３０，３０とを備えている。
【００１７】
四角形のエアコン支持枠１０は、横にやや長い長方形の枠体であり、前後の横材１１，１１を両側の縦材１２，１２で連結した構成になっている。前後の横材１１，１１は、断面がコ字形状の所謂Ｃ形材からなり、開口部が互いに対向する向きに配置されている。両側の縦材１２，１２も前後の横材１１，１１と同様、断面がコ字形状の所謂Ｃ形材からなり、開口部を互いに対向させて、両端部が横材１１，１１の各端部の水平部間に挟まれている。そして、両部材が突き合わされる支持枠１０の四隅部で、両部材の上側の水平部同士がこれらに直角な垂直方向の軸体１３により回動可能に連結されている。軸体１３は、ここではリベットピンが使用されている。
【００１８】
このうような四隅部の回動構造により、四角形のエアコン支持枠１０はエアコン載置面に平行な水平面内において直線状に折り畳むことが可能になる。具体的には、四角形のエアコン支持枠１０を構成する縦材１２，１２及び横材１１，１１がエアコン載置面に平行な水平面内で平行移動して平行四辺形になり、その傾斜角度を強めて最終的に略直線状になる。直線状態に近づけるために、各縦材１２は一端側の横材１１に対しては上下の水平部間に嵌まり重なり合うことにより交差角を０に近づける。他方の横材１１に対しては交差角を広げて直線状態に接近する。
【００１９】
各縦材１１の両端部、より具体的には上下の水平部に挟まれた垂直部の両端部には、両側の脚材２０，２０を連結するためのボルト４１，４１のねじ込み用のネジ孔が設けられている。また、各横材１２の両端部、より具体的には上下の水平部に挟まれた垂直部の両端部には、前記脚材２０，２０を連結するためのボルト４２，４２のねじ込み用のネジ孔１２ａ，１２ａが設けられている。
【００２０】
エアコン支持枠１０の四隅部から下方へ延出する４本の脚材２０，２０・・は、断面がＬ字状のアングルからなり、直交する２つの平面部２１，２２に複数の貫通孔２３，２３・・及び２４，２４・・を有している。貫通孔２３，２３・・及び２４，２４・・は、エアコン支持枠１０の各隅部に脚部２０をネジ止めするための前記ボルト４１及び４２の挿通孔であり、取付け位置を調節するために脚材２０の長手方向に所定間隔で配列されると共に、各孔が脚材２０の長手方向に長く延びた長孔になっている。
【００２１】
そして、横材１１の側の平面部２１では、最上段の貫通孔２１を通してボルト４１が、横材１１の垂直部に設けられたネジ孔に仮締めされている。これにより、脚材２０は、横材１１の垂直部に直角なボルト４１を中心に回動し、より詳しくは、横材１１の側の平面部２１が横材１１の垂直部に沿って回動する。この回動により、脚材２０は横材１１に直角な使用状態から横材１１の垂直部に横材１１の側の平面部２１が重なる状態に折り畳まれる。使用状態から折り畳み状態への回動を可能にするために、ボルト４１が通る最上段の貫通孔２３は、最上部が内側へ直角に折れ曲がったＬ字状に形成されており、折り畳み状態でその折れ曲がり部にボルト４１が嵌合する。
【００２２】
各脚材２０の下端部には、Ｌ形の接地部材６０が取付けられている。接地部材６０は、脚材２０の折り畳みを阻害しないように、垂直部６１が脚材２０の縦材１２の側の平面部２２の下端部にボルト４３により回動自在に仮止めされている。これにより、接地部材６０は、底面部である水平部６２が脚材２０の横材１１の側の平面部２１に重なり、各脚材２０の折り畳みの際を阻害しない状態となる。
【００２３】
ベース材３０，３０は、両側の縦材１２，１２の間で前後の横材１１，１１間に掛け渡される。これらのベース材３０，３０は下側に開放したＣ形材からなり、前後の横材１１，１１上に載る両端部が引っ掛け式の固定具５０，５０により横材１１，１１に固定される。各ベース材３０は、横材１１，１１の各上面の対向側の端部を立ち上げて形成したガイド１１ａ．１１ａにより横方向に案内される。この案内のために、各ベース材３０の両端部には、ガイド１１ａ．１１ａが嵌合する切り込み３１，３１が、各側板部の下縁部に位置して設けられている。
【００２４】
ベース材３０，３０の各平面部には、エアコン機器をねじ止めするために、前後２つのねじ孔３２，３２が設けられている。ねじ孔３２，３２は、エアコン機器の奥行きに応じてねじ止め位置を調節できるように、長手方向に延びる長孔とされている。７０，７０はねじ孔３２，３２に装着されたクッションである。
【００２５】
次に、本実施形態にかかるエアコン据付け台の梱包状態及び使用状態について説明する。
【００２６】
梱包状態では、四角形のエアコン支持枠１０は、エアコン載置面に平行な面内おいて平行移動により直線状に折り畳まれる。具体的には、前後の横材１１，１１は両側へ変位した状態で突き合わされ、両側の縦材１２，１２は、一端側に連結された横材１１，１１の上下の水平部材間に嵌まり込む。各脚材２０は、連結されている横材１１の垂直部に平面部２１が重なるように折り畳まれ、横材１１に重なる。接地部材６０も、対応する脚材２０の折り畳みを阻害しないように、畳み込まれる。
【００２７】
かくして、このエアコン据付け台は、両側のベース部材３０，３０を除く全部材が仮組み状態で直線状に折り畳まれる。そして、これにベース部材３０，３０を重ねれば、全部材が細長いきわめてコンパクトな形態に梱包される。
【００２８】
使用するときは、梱包をとき、まずエアコン支持枠１０を直線状から四角形に展開する。エアコン支持枠１０は仮組みされているので、直線状に伸びた横材１１と縦材１２の連結部を外側へ引くだけで、この展開作業は行われる。次いで、４本の脚材２０、２０・・を重なっている横材１１に対して直角に起こす。各脚材２０は横材１１に仮止めされているので、この起立作業もすこぶる簡単である。
【００２９】
起立させた脚材２０は、回動支点となっていた仮止め用のボルト４１を横材１１のネジ孔にそのままねじ込みむ。また別のボルト４２を、脚材２０の平面部２２に設けられた貫通孔２４を通して縦材１２のネジ孔１２にねじ込む。脚材２０の平面部２１が横材１１の垂直部に固定され、平面部２２が縦材の垂直部に固定れされることにより、エアコン支持枠１０は正規の四角形に固定される。同時に、そのエアコン支持枠１０の四隅部に脚材２０，２０・・が固定される。
【００３０】
最後に、各脚材２０の下端部にボルト４３により仮止めされている接地部材６０を、水平部が下を向く正規位置へ回動させ、そのボルト４３をそのまま本締めする。これにより、接地部材６０の取付けも終わる。
【００３１】
こうして組み立てられたエアコン支持台の前後の横材１１，１１間に両側のベース材３０，３０を掛け渡せば、当該エアコン支持台は完成する。なお、両側のベース材３０，３０は先にエアコン機器の側に取付けておき、そのエアコン機器と共にエアコン支持台に載せるのが一般的な取付け手順である。
【００３２】
このように、本実施形態にかかるエアコン据付け台では、四角形のエアコン支持枠１０が仮組みされ、しかも直線状に折り畳み可能である。また、エアコン支持枠１０の四隅部に取付けられる脚材２０，２０・・についても、その四隅部に仮止めされ、しかも、エアコン支持枠１０と共に直線状に折り畳み可能である。更に、脚材２０，２０・・の各下端部に取付けられる接地部材６０についても、各下端部に仮止めされており、しかも脚材２０の折り畳みを阻害しない退避位置へ畳み込まれる。
【００３３】
したがって、本実施形態にかかるエアコン据付け台は、嵩張らない細長い形状に効率的に梱包され、輸送効率、収納効率に優れると共に、使用に際しては殆どの部材が仮組されているので、組み立て作業がすこぶる容易で、組立作業にも非常に優れる。
【００３４】
図３は本発明の別の実施形態を示すエアコン据付け台の斜視図である。
【００３５】
図１及び図２に示した前述のエアコン据付け台は１段型の平地用であったが、本実施形態にかかるエアコン据付け台は２段置きの平地用である。
【００３６】
２段置きの平地用では、四角形のエアコン支持枠１０が４本の脚材２０，２０・・により２段に支持される。上下のエアコン支持枠１０，１０は、前述の１段型エアコン据付け台同様に、四隅部を回動構造として折り畳み可能に仮組みされている。
【００３７】
４本の脚材２０，２０・・は、前述の１段型エアコン据付け台では、脚材２０の長さが横材１１の長さの半分以下であり、両側の脚材２０，２０を横材１１に重ねることができる。しかし、２段置きのエアコン据付け台では、脚材２０の長さが横材１１の長さを超えているため、両側の脚材２０，２０を横材１１に重ねることが容易でない。このため、４本の脚材２０，２０・・は従来どおり、エアコン支持枠１０，１０から分離し、ボルト４１，４２による固定構造としている。
【００３８】
そうしたとしても、上下のエアコン支持枠１０，１０が直線状に折り畳み可能な仮組み構造であるために、エアコン支持枠１０を分解したもの比べて組み立て作業が容易であり、エアコン支持枠１０を予め枠体に固定したものと比べて梱包性に優れることは言うまでもない。
【００３９】
なお、エアコン支持枠１０の四隅部を回動可能に連結する軸体１３として、上述の実施形態ではリベットタイプのピンを使用したが、ねじ類を使用することも可能である。ねじ類の場合、仮締め状態で軸支部が回動可能になり、本締めにより固定状態になる。ピン結合の一種として、隣接する縦材１２と横材１１を蝶番のようにヒンジ結合することも可能である。脚材２０を利用すれば角部を固定できるので、軸支構造にかかわらず、軸支部の締め付けによる固定は必ずしも必要でない。
【図面の簡単な説明】
【００４０】
【図１】本発明の一実施形態を示すエアコン据付け台の斜視図である。
【図２】同エアコン据付け台の梱包状態（折り畳み状態）から使用状態（展開状態）への形態変化を示す斜視図である。
【図３】本発明の別の実施形態を示すエアコン据付け台の斜視図である。
【符号の説明】
【００４１】
１０  エアコン支持枠
１１  横材
１２  縦材
１３  軸体
２０  脚材
２１，２２  平面部
２３，２４  貫通孔
３０  ベース材
４１，４２，４３  ボルト
５０  固定具
６０  接地部材
【図１】
2006017439.tif 000003
【図２】
2006017439.tif 000004
【図３】
2006017439.tif 000005